(57)【特許請求の範囲】
【請求項１】
収納キャビネットと、この収納キャビネットに設けた収納ラックと、前記収納ラックを昇降する略Ｓの字形アームと略くの字形アームとを有する昇降支持装置を備え、前記略Ｓの字形アームと略くの字形アームを同一面上に構成した昇降式収納装置。
【請求項２】
収納キャビネットと、この収納キャビネットに設けた収納ラックと、前記収納ラックを昇降する略Ｓの字形アームと略くの字形アームとを有する昇降支持装置を備え、前記略くの字形アームは、略中央で屈曲するとともに、前記略くの字形アームと収納ラックの連結部を、前記収納ラックの最上段後方近傍に位置させてなる昇降式収納装置。
【請求項３】
収納キャビネットと、この収納キャビネットに設けた収納ラックと、前記収納ラックを昇降する略Ｓの字形アームと略くの字形アームとを有する昇降支持装置を備え、前記収納ラックの昇降動作に連動して、収納キャビネットに設けた扉体を開閉する開閉手段を設けた昇降式収納装置。
【請求項４】
開閉手段は、収納ラックの昇降動作時に、扉体を開放側に押圧する付勢手段を備えてなる請求項３記載の昇降式収納装置。
【請求項５】
扉体は、収納ラックの昇降動作に連動して、上方に開放する一枚品で構成してなる請求項３または４記載の昇降式収納装置。
【請求項６】
収納キャビネットと、この収納キャビネットに設けた収納ラックと、前記収納ラックを昇降する略Ｓの字形アームと略くの字形アームとを有する昇降支持装置を備え、前記収納ラックの昇降動作を駆動する電動駆動手段を有してなる昇降式収納装置。
【発明の詳細な説明】
【０００１】
【発明の属する技術分野】
本発明は、厨房等で使用する昇降式収納装置に関し、特に収納ラックを昇降するアームに関するものである。
【０００２】
【従来の技術】
従来この種の昇降式収納装置は、図５、図６に示されているようなものがある。
【０００３】
この昇降式収納装置は、収納キャビネット１に収納ラック２を昇降する一対の平行アーム３を有する昇降支持装置４を配し、この昇降支持装置４によって収納ラック２を円弧状に昇降するようになっていた。なお、５は左右の平行アーム３が同期して回動するように両平行アーム３の基部間を連結する連動連結軸、６は収納ラック２の前方に設けた昇降操作用のハンドル、７は収納キャビネット１に設けた扉体、８は開閉取手である。
【０００４】
【発明が解決しようとする課題】
しかしながら、上記従来の昇降式収納装置では、収納ラック２を昇降する昇降支持装置４が平行アーム３なので、平行アーム３の回動角度そのもので、収納ラックの昇降ストロークが決まることになり、降下ストロークが小さく収納ラック２への出し入れ作業がやりにくいという課題を有していた。
【０００５】
また、収納ラック２は、回動昇降時に連動連結軸５との干渉を避けるために、収納ラック２の後方下部にコーナー逃がし部９が必要となり、平面的な収納面積が減少するという課題を有していた。
【０００６】
【課題を解決するための手段】
本発明は上記課題を解決するために、収納キャビネットと、この収納キャビネットに設けた収納ラックと、前記収納ラックを昇降する略Ｓの字形アームと略くの字形アームとを有する昇降支持装置とを備え、前記略Ｓの字形アームと略くの字形アームを同一面上に構成したものである。
【０００７】
上記発明によれば、略Ｓの字形アームと、略くの字形アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができる。
【０００８】
【発明の実施の形態】
本発明の請求項１に係る昇降式収納装置は、収納キャビネットと、この収納キャビネットに設けた収納ラックと、前記収納ラックを昇降する略Ｓの字形アームと略くの字形アームとを有する昇降支持装置を備え、前記略Ｓの字形アームと略くの字形アームを同一面上に構成することにより、略Ｓの字形アームと、略くの字形アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができる。
【０００９】
本発明の請求項２に係る昇降式収納装置は、収納キャビネットと、この収納キャビネットに設けた収納ラックと、前記収納ラックを昇降する略Ｓの字形アームと略くの字形アームとを有する昇降支持装置を備え、前記略くの字形アームを、略中央で屈曲するとともに、前記略くの字形アームと収納ラックの連結部を、前記収納ラックの最上段後方近傍に位置させてあり、両アームが大きな円弧の回動を描くため、昇降ストロークを大きくすることができるとともに、収納ラックが収納キャビネットの前方に大きく張り出して回動するため、収納ラックの後方下部のコーナー逃がし部が不要となり、収納ラックの底面すべてに平面的な収納面積を確保することができる。
【００１０】
本発明の請求項３に係る昇降式収納装置は、収納ラックの昇降動作に連動して、収納キャビネットに設けた扉体を開閉する開閉手段を設けてあり、収納ラックの昇降動作に連動して扉体を開閉することができるため、扉体の開閉操作が不要となり、収納ラックの降下および上昇格納を一動作で行うことができる。
【００１１】
本発明の請求項４に係る昇降式収納装置は、開閉手段に、収納ラックの昇降動作時に、扉体を開放側に押圧する付勢手段を設けてあり、開閉手段が受ける扉体の自重を軽減することができるため、収納ラックの昇降が抵抗なく行えるとともに、扉体の開閉動作を確実に行うことができる。
【００１２】
本発明の請求項５に係る昇降式収納装置は、扉体を、収納ラックの昇降動作に連動して、上方に開放する一枚品で構成してあり、外表面に見える扉体の分割線をなくすことができるため、収納キャビネットの美観を向上させることができる。
【００１３】
本発明の請求項６に係る昇降式収納装置は、収納ラックの昇降動作を駆動する電動駆動手段を有しており、電動により収納ラックの昇降が行えるため、昇降操作用のハンドル、開閉取手等が削減できるとともに、収納物の重量負担を受けることなく収納ラックの昇降を行うことができる。
【００１４】
【実施例】
以下、本発明の実施例について図面を用いて説明する。
【００１５】
（実施例１）
図１は本発明の実施例１の昇降式収納装置の収納ラック降下状態における側断面図、図２は同じく収納ラック上昇格納状態における側断面図である。
図１から図２において、１１は厨房等の壁面上方に設置された収納キャビネットで、この収納キャビネット１１の庫内両側面には、前方に略Ｓの字形アーム１２と、後方に略くの字形アーム１３とが、同一面上に平板形状で構成されるとともに、この両アーム１２、１３を枢支する昇降支持装置１４が設置されている。１５は左右相対向する略Ｓの字形アーム１２の基部間を連結する連動連結軸で、この連動連結軸１５により両略Ｓの字形アーム１２が同体回動するように構成される。
【００１６】
１６は、常時は収納キャビネット１１に格納される収納ラックで、底面から背面を構成する本体１７と、両側板１８と、線材よりなる網棚１９と、両側板１８間を連結するハンドル２０により構成される。
【００１７】
次に、略Ｓの字形アーム１２および略くの字形アーム１３と、収納ラック１６との連結であるが、略中央で屈曲した略くの字形アーム１３を、収納ラック１６を構成する側板１８の最上段後方近傍に枢支することによりリンク機構が構成される。
【００１８】
こうして収納ラック１６は、両アーム１２、１３と昇降支持装置１４により、図１に一点鎖線で示す如く円弧状に回動し、その降下位置で収納物を出し入れし、ハンドル２０を持って上昇格納また降下引出しを行う。
【００１９】
次に動作、作用について説明すると、昇降式収納装置は、収納キャビネット１１と、この収納キャビネット１１に設けた収納ラック１６と、収納ラック１６を昇降する略Ｓの字形アーム１２と略くの字形アーム１３とを有する昇降支持装置１４とからなり、略Ｓの字形アーム１２と、略くの字形アーム１３が屈曲しているため、収納ラック１６の降下時に両アーム１２、１３が収納キャビネット１１の底板に干渉することも、両アーム１２、１３同士が干渉することもなく、その結果、両アーム１２、１３の回動角度が大きくとれ、収納ラック１６の昇降ストロークを大きくすることができる。よって降下ストロークが大きくなり、収納ラック１６への出し入れの作業性を向上することができる。
【００２０】
また、昇降式収納装置は、略くの字形アーム１３を、略中央で屈曲するとともに、略くの字形アーム１３と収納ラック１６の連結部を、収納ラック１６を構成する側板１８の最上段後方近傍に位置させてあり、両アーム１２、１３が大きな円弧の回動を描くため、昇降ストロークを大きくすることができるとともに、収納ラック１６が収納キャビネット１１の前方に大きく張り出して回動するため、図１に二点鎖線で示す如く、回動昇降時に連動連結軸１５との干渉がなくなり、収納ラック１６の後方下部のコーナー逃がし部が不要となり、収納ラック１６の底面すべてに平面的な収納面積を確保することができる
（実施例２）
図３は本発明の実施例２の昇降式収納装置の収納ラック降下状態における側断面図である。なお、実施例１と同一符号のものは同一構造を有し、説明は省略する。
【００２１】
本実施例２において、実施例１と異なる点は、収納ラック１６の昇降動作により、収納キャビネット１１に設けた扉体２１を開閉する開閉手段２２を設けたところである。
【００２２】
２３は収納ラック１６の両側板１８に固定されたキャビネット閉塞板、２４は開閉取手、２５は開閉手段２２に設けた付勢手段で、収納ラック１６の昇降動作時に扉体２１を開放側に押圧するものである。
【００２３】
次に動作、作用を説明すると、この昇降式収納装置は、収納ラック１６の昇降動作に連動して、扉体２１を開閉する開閉手段２２を有しており、開閉取手２４の引き下げ、押し上げ操作により、収納ラック１６の昇降動作に連動して開閉手段２２を介し扉体２１を開閉することができるため、扉体２１の開閉操作が不要となり、収納ラック１６の降下および上昇格納を一動作で行うことができる。
【００２４】
また、上記開閉手段２２には、収納ラック１６の昇降動作時に、扉体２１を開放側に押圧する付勢手段２５を具備させてあり、開閉手段２２が受ける扉体２１の自重を軽減することができるため、収納ラック１６の昇降が抵抗なく行えるとともに、扉体２１の開閉動作を確実に行うことができる。
【００２５】
なお、前述した実施例２においては、収納ラック１６の昇降動作に連動して扉体２１を上方に開放する場合で説明したが、左右に開放する場合においても応用することができるものである。
【００２６】
（実施例３）
図４は本発明の実施例３の昇降式収納装置の収納ラック降下状態における側断面図である。なお、実施例１と同一符号のものは同一構造を有し、説明は省略する。
【００２７】
本実施例３において、実施例１（または２）と異なる点は、収納ラック１６の昇降動作を駆動する電動駆動手段（図示せず）を有しているところである。
【００２８】
例えば、収納キャビネット１１底板と収納ラック１６の下方空間に公知のギヤードモーターを配し、連動連結軸１５に扇形ギヤーを構成することにより、連動連結軸１５が回転駆動し、収納ラック１６が自動昇降するものである。
【００２９】
２１は収納ラック１６の昇降動作に連動して、上方に開放される一枚品からなる扉体である。
【００３０】
次に動作、作用を説明すると、この昇降式収納装置は、収納ラック１６の昇降動作を駆動する電動駆動手段を有しており、電動により収納ラック１６の昇降が行えるため、昇降操作用のハンドル２０、開閉取手２４等が削減できるとともに、収納物の重量負担を受けることなく収納ラック１６の昇降を行うことができる。
【００３１】
また、昇降式収納装置は、扉体２１を、収納ラック１６の昇降動作に連動して、上方に開放する一枚品で構成してあり、外表面に見える扉体２１の分割線をなくすことができるため、収納キャビネット（１１）の美観を向上させることができる。
【００３２】
【発明の効果】
以上説明したように本発明の請求項１に係る昇降式収納装置は、収納キャビネットと、この収納キャビネットに設けた収納ラックと、収納ラックを昇降する略Ｓの字形アームと略くの字形アームとを有する昇降支持装置を備え、前記略Ｓの字形アームと略くの字形アームを同一面上に構成することにより、略Ｓの字形アームと、略くの字形アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができるという効果がある。
【００３３】
また、請求項２に係る昇降式収納装置は、略くの字形アームを、略中央で屈曲するとともに、略くの字形アームと収納ラックの連結部を、収納ラックの最上段後方近傍に位置させてあり、両アームが大きな円弧の回動を描くため、昇降ストロークを大きくすることができるとともに、収納ラックが収納キャビネットの前方に大きく張り出して回動するため、収納ラックの後方下部のコーナー逃がし部が不要となり、収納ラックの底面すべてに平面的な収納面積を確保することができるという効果がある。
【００３４】
また、請求項３に係る昇降式収納装置は、収納ラックの昇降動作に連動して、収納キャビネットに設けた扉体を開閉する開閉手段を設けてあり、収納ラックの昇降動作に連動して扉体を開閉することができるため、扉体の開閉操作が不要となり、収納ラックの降下および上昇格納を一動作で行うことができるという効果がある。
【００３５】
また、請求項４に係る昇降式収納装置は、開閉手段に、収納ラックの昇降動作時に、扉体を開放側に押圧する付勢手段を設けてあり、開閉手段が受ける扉体の自重を軽減することができるため、収納ラックの昇降が抵抗なく行えるとともに、扉体の開閉動作を確実に行うことができるという効果がある。
【００３６】
また、請求項５に係る昇降式収納装置は、扉体を、収納ラックの昇降動作に連動して、上方に開放する一枚品で構成してあり、外表面に見える扉体の分割線をなくすことができるため、収納キャビネットの美観を向上させることができるという効果がある。
【００３７】
また、請求項６に係る昇降式収納装置は、収納ラックの昇降動作を駆動する電動駆動手段を有しており、電動により収納ラックの昇降が行えるため、昇降操作用のハンドル、開閉取手等が削減できるとともに、収納物の重量負担を受けることなく収納ラックの昇降を行うことができるという効果がある。
【図面の簡単な説明】
【図１】  本発明の実施例１の昇降式収納装置の収納ラック降下状態における側断面図
【図２】  同収納ラック上昇格納状態における側断面図図
【図３】  本発明の実施例２の昇降式収納装置の収納ラック降下状態における側断面図
【図４】  本発明の実施例３の昇降式収納装置の収納ラック降下状態における側断面図
【図５】  従来の昇降式収納装置における外観斜視図
【図６】  同収納ラック降下状態における側断面図
【符号の説明】
１１  収納キャビネット
１２  略Ｓの字形アーム
１３  略くの字形アーム
１４  昇降支持装置
１６  収納ラック
１８  側板
２１  扉体
２２  開閉手段
２５  付勢手段
【図１】
0003713971.tif 000002
【図２】
0003713971.tif 000003
【図３】
0003713971.tif 000004
【図４】
0003713971.tif 000005
【図５】
0003713971.tif 000006
【図６】
0003713971.tif 000007